(57)【特許請求の範囲】
【請求項１】
少なくとも上部に開口部を有する耐熱性容器（１１）と、
前記開口部の上に設けられた燃料置き空気孔付き受皿（１４）と、
前記開口部に下方から嵌め込まれる目皿（２５）と、
前記開口部の下方に設けられて前記開口部を開閉する火消蓋（２９）と、
前記火消蓋を開いた状態から、前記目皿の一方の側を支点として前記目皿を下方向に回転させることにより前記受皿内のバイオマスペレット燃料を前記耐熱性容器内に落下させ、その後、前記火消蓋を前記目皿と共に上方向に回転させて前記開口部を閉じることにより、前記耐熱容器を火消し壺とする消火機構と
を備えることを特徴とする燃焼装置。
【請求項２】
請求項１記載の燃焼装置において、
前記消火機構は、前記火消蓋および前記目皿の合計重量より重く前記火消し蓋および前記皿目を上方向に回転させる重量部材（２４）を有する燃焼装置。
【請求項３】
請求項１記載の燃焼装置において、
前記耐熱性容器は、前記受皿から落下したバイオマスペレット燃料を燃焼させるために空気を導入する空気口（１５）を備え、火消し壺としてだけでなくかまどとしても機能する燃焼装置。
【請求項４】
請求項３記載の燃焼装置において、
前記耐熱性容器内で前記バイオマスペレット燃料に着火するために、ポリプロピレンを含む着火材を収容する穴空き金属製ペレット状カプセルが用いられる
燃焼装置。
【発明の詳細な説明】
【技術分野】
【０００１】
本発明は、専用ボイラーの熱源かまどとしても、又、単独でも料理用かまどとしても活用出来て、蒸気タービンの自家発電機とバッテリー充電池・電力変換機で各種電源も用意出来て、熱交換器を以って、モーターポンプ・送風機を自己完結型にて駆動させることで、冷暖両用となるバイオマスペレット順応かまどに関する。
【背景技術】
【０００２】
ペレットを燃料とするストーブやボイラーは、色々あるが、どの燃料源も、薪・バイオマスペレットも自在に使用できる内容の物はなくて、更に、有事の場合に複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすには、よりセパレート化が希求されている、
本発明に関連して、特許として、自家製の高密度グリーンな家庭ゴミであるバイオマスペレット燃料の製造方法が登録されている。
【先行技術文献】
【特許文献】
【０００３】
【特許文献１】特許第４７４６７０５号公報
【発明の概要】
【発明が解決しようとする課題】
【０００４】
本発明は、上述した実情に鑑みてなされたものであり、より環境にやさしく、どこにでも移設・順応出来る簡単・単純なマルチかまど、ストーブ、及び冷暖房空調・給湯・発電装置を提供して、同時に複合化することで、前記グリーンバイオマスペレット燃料エネルギーを増大化することを目的とする。
【課題を解決するための手段】
【０００５】
本発明者は、上記課題を解決すべく鋭意検討した結果、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、バイオマス燃料からストーブで直接に、そして、複合的に、ボイラー・蒸気タービンの自家発電気で以ってそれに代えられる物とするために直接多目的なマルチかまどを発明した。
【０００６】
かくして本発明によれば、下記（１）〜（４）のバイオマスペレット燃料用の耐震装置付き火消し壺兼用熱源かまど、（５）のストーブ、及び（６）の冷暖房空調装置、（７）の冷暖給水切換・給湯保温機の床冷暖房・給湯装置、（８）の自家製発電装置が提供される。
（１）少なくとも上部に開口部を有する耐熱性容器と、前記耐熱性容器の上部の開口部を開閉できるように設けられた耐震装置付き火消蓋と、着火装置とを備える、バイオマスペレット燃料用の火消し壺兼用熱源順応かまど。
（２）前記耐熱性容器が、珪藻土製の容器である、（１）に記載の耐震装置付き火消し壺兼用熱源順応かまど。
（３）さらに、踏み台と、前記踏み台と前記耐震装置付き火消蓋とを連結する火消蓋開閉機構とを備える耐震装置付き火消し壺兼用熱源かまどであって、耐震装置によるか、踏み台を操作することで、火消蓋開閉機構を通じて、火消蓋の開閉状態を制御するものである、（１）又は（２）に記載の耐震装置付き火消し壺兼用熱源順応かまど。
【０００７】
（４）前記着火装置が、ポリプロピレンを原料としたものを穴空き金属製ペレット状カプセルに収納させたものである、（１）〜（３）のいずれかに記載の耐震装置付き火消し壺兼用熱源順応かまど。
（５）前記（１）〜（４）のいずれかに記載の耐震装置付き火消し壺兼用熱源順応かまどを熱源として用いるストーブ。
（６）前記（１）〜（４）のいずれかに記載の耐震装置付き火消し壺兼用熱源順応かまどを熱源として用いるボイラーと、前記ボイラーで発生した蒸気で駆動する蒸気タービンと、前記蒸気タービンで発生した高速運動エネルギーを高出力電気エネルギーに変換する発電機装置と、前記蒸気タービンの蒸気排気口と接続された熱交換器と、前記発電機で発生した電気によって駆動する冷暖房空調機とを備える、冷暖房空調装置。
（７）前記（１）〜（４）のいずれかに記載の耐震装置付き火消し壺兼用熱源順応かまどを熱源として用いるボイラーと、前記ボイラーで発生した蒸気で駆動する蒸気タービンと、前記蒸気タービンの蒸気排気口と接続された熱交換器と、給湯保温庫による温水給配と保温庫内配管・給排水口取付口設備にて、床冷暖房機とを備える、床冷暖房・給湯装置。
（８）前記（１）〜（７）のいずれかに記載の耐震装置付き火消し壺兼用熱源かまどを熱源として用いる前記発電機によって発生した高出力電気をインバーターを経て各種電圧電源を供給したり、選択充電を使用したり出来る前記蒸気タービンで発生した高速運動エネルギーを高出力電気エネルギーに変換する発電機装置。
【発明の効果】
【０００８】
上記のようにセパレートであって、対既存化石・電気エネルギーに与しない、バイオマスペレット燃料・蒸気エネルギーとによるボイラー蒸気と変換電気とで単純・簡単構造にしてリーズナブルな低廉価格でしかも本格的な燃料源としてのバイオマスペレットかまどをエネルギー増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来るマルチタイプの熱源順応かまどを提供できる。
【図面の簡単な説明】
【０００９】
【図１】本発明のかまど・火消壺の正面図である。
【図２】本発明のかまど・火消壺の側面図である。
【図３】本発明のかまど・火消壺の踏み打を外した状態側Ａ−Ａ”断面図である。
【図４】本発明のかまど・火消壺の踏み打を踏んだ状態のＡ−Ａ２側断面図である。
【図５】本発明のストーブの多用途順応かまどの正面図である。
【図６】本発明のストーブの多用途順応かまどの側面図である。
【図７】本発明のシステム実施例を示す図である。
【発明を実施するための形態】
【００１０】
ペレット燃料順応かまどには、複合的マルチタイプの単体移設型システム内容が求められている。本発明の実施の形態のペレット燃料順応かまどは、その内容が難しくない簡単・単純なもので、同時複合的連関を発生させる実施の形態であって、バイオマスペレット燃料の専用かまどとして環境に優しく、高温に耐えられて、持ち運び移設に小型・簡便で、しかも安全であることを可能とした工夫のペレット熱源順応かまどである。
【００１１】
本発明に用いる燃料ペレットは特に制限されない。しかしながら、ダイオキシンや重金属の除去されていないものや、余分なものが混在している。例えば、放射能をかぶったバイオマスの除染が出来ていないものは制限されるが、それらに対して特許文献１のペレット燃料は全てを満たしているから制限されないのである。
【００１２】
以下、添付図面符号に従って一実施例を説明する。
図３・４は、本発明のかまど・火消壺の実施例を示す図２の断面図である。
図３・４中、１１はストーブ用耐熱珪藻土かまど、１４はバイオマスペレット燃料置き空気孔付き受皿、周りの淵はより堅牢・背高で五徳使用も可である。１５はかまど空気調整開閉調整口、２２は火消用落し蓋アジャスター継ぎ手、２３は火消用落し蓋アジャスター踏み台、２４は火消用落し蓋アジャスト重量（目皿・火消蓋・１４の燃料より重い）継ぎ手鋳・鉄棒、２５は、２７継ぎ手と一体構造の鋳物製目皿、２６は２３の踏み台の補助取手、２７は火消蓋・目皿自在継ぎ手（一体構造の目皿と継ぎ手・火消蓋の支点のアジャスターの丁番（３３）にて、シーソー・上下降する）、２８は目皿・火消蓋・１４の燃料置き空気孔付き受け皿アジャスター・フェンダー、２９は火消蓋（３２の目皿の自在取付具によって目皿に取り付けられるもので、２８のアジャスターの真下に位置して３１の火消壺内を密閉する。）、３０は火消蓋・目皿・２７継ぎ手アジャスター開閉の上下運動支点、３１は火消壺・かまど、３２は目皿の火消蓋自在取付具、３３は、鋳物製目皿（２５）と火消蓋・目皿自在継ぎ手（２７）との継ぎ手丁番である。
【００１３】
図３において、鋳物製目皿（２５）は、一体構造の火消蓋・目皿自在継ぎ手（２７）と目皿と継ぎ手・火消蓋の支点のアジャスターの丁番（３３）において回動自在に取り付けられており、通常は、２５の鋳物製目皿、２９の火消用落し蓋と、１４の燃料の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）より刳り抜かれた形が正確にはまり込む（目皿の枠内定位置に）。なお、火消蓋（２９）は、自在取付具（３２）によって目皿（２５）に結合すると一体化されて、目皿の回転によって目皿・火消蓋アジャスターの真下にくるようになっている。
【００１４】
図３・４に示すかまど・火消壺は、バイオマスペレット燃料をバイオマスペレット燃料置き空気孔付き受皿（１４）内に入れ、１５のかまどの空気調整口を開けて、そこでバイオマスペレット燃料をスチール着火カプセルにて着火して燃焼させる装置である。バイオマスペレット燃料の燃焼時には、火消蓋（２９）は目皿（２５）との結合が解かれて下側に垂れ下がり、火消時には、目皿（２５）と一体化して目皿・火消蓋アジャスター（２８）に嵌まり、火消壺を閉塞する。
【００１５】
また、使用を中断したい場合等においては、以下のように、３９の安全ストッパーを外してから、燃焼中のバイオマスペレット燃料を火消壺（３１）中に落とし、消火することができる。すなわち、火消用落し蓋アジャスター踏み台（２３）を足で踏むことにより、２５の目皿、２９の火消蓋、１４のバイオマスペレット燃料置き空気孔付き受皿の中身の燃料の合計重量より重い継ぎ手鋳物棒（２４）が、図中、上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる。このとき、目皿（２５）は、自在取付具（３２）によって垂れ下がっていた火消蓋（２９）と結合する。また、バイオマスペレット燃料置き空気孔付き受皿（１４）内の燃料ペレットが火消壷内に落下する。１５の空気調整口は塞がれて、火消壷内は酸素不足の状態になっている為、消火が行われる。この状態を、図３でより詳細に説明する。
【００１６】
火消用落し蓋アジャスター踏み台（２３）から足を離すと、目皿（２５）より重い火消蓋アジャスト重量継ぎ手鋳物棒（２４）が、図中、重力により下方向に移動し、火消蓋アジャスター継ぎ手（２２）及び火消蓋・目皿自在継ぎ手（２７）が、図中、２７・２５の一体構造が３３の丁番を支点にシーソー下方向に移動する。他方、鋳物製目皿（２５）は自在取付具（３２）によって火消蓋（２９）を一体化し、３３の丁番を支点にして上方に回転して目皿・火消蓋アジャスター（２８）の枠内定位置に固定されるので、火消壺（４）内は酸素不足になる。尚更に、より安全確保のために３９の安全ストッパーを火消蓋アジャスター継ぎ手支点（３０）に掛ける。
【００１７】
また、火消壺（３１）内に落下し、消火された燃料ペレットは、再利用することができる。前記段落［０００３］に記載の特許文献の燃料ペレットは、高密度・燃焼の、着火し難い燃料ペレットなので、ポリプロピレンを原料としたものを穴空き金属製ペレット状カプセルに収納させた着火装置を使用することが好ましい。
【００１８】
本発明の第２は、本発明の火消し壺兼用熱源順応かまどを熱源として利用するストーブである、本発明のストーブの正・側面図を図５、６に示す。図５、６中、１はバイオマスペレット順応かまど・火消蓋付き壺熱源、１４はバイオマスペレット燃料置き空気孔付き受皿、３４はストーブ煙突、３５は薪ストーブ窓、３６はストーブ灰皿受けであるので、薪を燃やし入れたいときには、順応かまどをストーブから取り出して、１２のアジャストを設ければ、薪ストーブになる。
【００１９】
本発明の第３は、本発明の火消し壺兼用熱源順応かまどを熱源として同時に用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記発電機で発生した電気によって、ｉは、そのまま電源としての利用で以って、余剰電気は分配・売電出来、ｉｉは、１０の電力変換装置より電気をバッテリーに各別充電して、尚且つ電力変換装置を経て各別電源に変換して利用できる発電装置であり、また、駆動サポートする冷暖房空調機とを備える、冷暖房空調装置である。
【００２０】
本発明の発電機・冷暖房空調装置の模式図を図７に示す。図中、バイオマスペレットかまど・火消蓋付き壺熱源（１）で発生した熱により、ボイラー（２）に収容された水（沸点調性剤使用も可。）を沸騰させ、高温、高圧蒸気により蒸気タービン（３）を回して発電を行い、得られた電気により、各別電源として用いる発電装置であり、余力各別電気は、冷暖房空調を十二分にサポートして行う装置であり、図７中、１はバイオマスペレットかまど・火消蓋付き壺熱源、２はボイラー、３は蒸気タービン、４は発電機、５は熱交換器、６は電気モーター（電力は自己完結方式）、７は循環ポンプ、８は発電余力電力の充電用安全機、９は充電器、１０は電力変換装置である。
【００２１】
前記各種の装置は、前記バイオマスペレット燃料用火消壺兼用熱源多用途順応かまどにて、同時使用によって、一つのエネルギーを拡大増加させて使用出来ることから最大効果・率のエネルギーを生み出すことができるグリーンな順応かまどエネルギー増大化装置である。
【符号の説明】
【００２２】
１・・・バイオマスペレット順応かまど・火消蓋付き壺熱源
２・・・ボイラー
３・・・蒸気タービン
４・・・発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１４・・バイオマスペレット燃料置き空気孔付き受皿（２８と一体構造の鋳物）
１５・・かまど空気開閉調整口
１９・・モーター・除湿調性用ヒーター付き送風ファン
２０・・冷媒機
２１・・モーター付き圧縮ポンプ
２２・・火消蓋アジャスター継ぎ手
２３・・火消蓋アジャスター踏み台
２４・・火消蓋アジャスト重量（目皿＋火消蓋＋１４の燃料合計より重い。）継ぎ手鋳・鉄棒
２５・・２７継ぎ手と一体構造の鋳物製目皿（２８のアジャスターを目皿の型に刳り抜いた形体）
２６・・踏み台の補助取っ手
２７・・火消蓋・目皿自在継ぎ手（２８アジャスターの丁番を支点に上下降する）
２８・・目皿・火消蓋アジャスター・フェンダー（１４・２７と同質の鋳物で１４と一体構造）
２９・・火消蓋（３２取付具によって２５の目皿と一体化される、それまでは落蓋。）
３０・・火消蓋アジャスター継ぎ手支点
３１・・火消壺・かまど（珪藻土。）
３２・・目皿の火消蓋自在取付具
３３・・目皿と継ぎ手・火消蓋の支点のアジャスターの丁番
３４・・ストーブ煙突
３５・・薪ストーブ窓
３６・・ストーブ灰皿受け
３７・・耐震装置金属ボール、Ａ−Ａ２
３８・・外壁ステンレス板（珪藻土外壁強化材）
３９・・安全ストッパー（２９の火消蓋も動かぬ様に固定化。）
４０・・冷暖給水切換・給湯保温機（シーズンに合わせてメンテナンス可。床暖引込口・パイプ等埋設設備複数予備ライン・ジョイントあり。）
４１・・ヒーター（湿度調整）
４２・・１１の保護鋳物フェンダー（２８のフェンダーと同じ働き）
【図１】
0005731943.tif 000002
【図２】
0005731943.tif 000003
【図３】
0005731943.tif 000004
【図４】
0005731943.tif 000005
【図５】
0005731943.tif 000006
【図６】
0005731943.tif 000007
【図７】
0005731943.tif 000008